(57)【要約】【課題】羽毛を始めとする保温性の高い保温材を使用しつつも、更に一層、通気性が改善され、夏場にも使用できる寝具およびその材料を提供する。また、羽毛を始めとする保温性の高い保温材を使用しつつも、通気性が改善されたことで、むれることがなく、利用者が容易に体温調整をすることができ、フィット感に優れるダウンジャケットやレッグウォーマー等の被服およびその材料を提供する。【解決手段】布地２に、複数の柱状袋体３が並置されており、柱状袋体３内に保温材が封入されている保温材充填用袋体を有する構造体１ならびにそれを使用する寝具およびそれを材料とする被服である。【選択図】図１
2017143984.tif 000002
【特許請求の範囲】
【請求項１】
布地に、複数の柱状袋体が並置されており、前記柱状袋体内に保温材が封入されていることを特徴とする保温材充填用袋体を有する構造体。
【請求項２】
前記柱状袋体が、前記布地の一部が縫合されることにより形成されている請求項１に記載の保温材充填用袋体を有する構造体。
【請求項３】
前記保温材が羽毛である、請求項１または２に記載の保温材充填用袋体を有する構造体。
【請求項４】
請求項１ないし３のいずれか一項に記載の保温材充填用袋体を有する構造体を使用することを特徴とする寝具。
【請求項５】
前記柱状袋体が内側に収納されるように周辺が縫結されてなる請求項４に記載の寝具。
【請求項６】
前記柱状袋体が対向するように重ねられた、一対の前記保温材充填用袋体を有する構造体の周辺が縫結されてなる請求項５に記載の寝具。
【請求項７】
布団に用いられる請求項４ないし６のいずれか一項に記載の寝具。
【請求項８】
請求項１ないし３のいずれか一項に記載の保温材充填用袋体を有する構造体を材料とすることを特徴とする被服。
【請求項９】
前記柱状袋体が内側に収納されるように周辺が縫結されてなる前記保温材充填用袋体を有する構造体を材料とする請求項８に記載の被服。
【請求項１０】
前記柱状袋体が対向するように重ねられた、一対の前記保温材充填用袋体を有する構造体の周辺が縫結されてなる前記保温材充填用袋体を有する構造体を材料とする請求項９に記載の被服。
【請求項１１】
ダウンジャケットまたはレッグウォーマーである、請求項８ないし１０のいずれか一項に記載の被服。
【発明の詳細な説明】
【技術分野】
【０００１】
本発明は、保温材充填用袋体を有する構造体（以下、「構造体」と称する）ならびにそれを用いた寝具および被服に関し、詳しくは、羽毛等の保温性の高い保温材を封入しながらも通気性が高い構造体とそれを使用した寝具および被服に関する。
【背景技術】
【０００２】
羽毛布団は、保温材として用いられる羽毛がもつ優れた断熱性によって保温効果が例えば綿などの他の保温材が用いられた布団に比べて格段に優れていること、また、体温によって温められることでフィット感が増すことが知られており、広く一般に使用されている。羽毛布団は袋状に縫製された布団本体中に保温材である羽毛を充填したものであるが、布団本体には、通常、微細な羽毛の飛び出しを防止するために、極細の繊維を高密度に織った、いわゆるダウンプルーフ加工された側地が用いられる。
【０００３】
このダウンプルーフ加工された側地は羽毛の飛び出しを防止することに対し非常に有効である反面、羽毛以外の保温材が用いられた布団の側地に比べて通気性が著しく低い。そのため、羽毛の充填量が比較的少ない羽毛布団であっても、例えば夏のような暑い季節には保温性が高すぎてむれることとなり、利用者が快適な睡眠を得ることができない。このため、利用者が寝不足から体調を崩す原因となることがある。
【０００４】
夏用に布団の保温性を抑える方法としては布団を薄くする方法があるが、薄くすることで抑えられる保温性にも限界がある。結果として、夏場は薄手のタオルケットを掛布団の代わりに用いる利用者が多いが、タオルケットは保温性が低く、特に気温が下がる明け方には体温を奪われ、夏風邪を引く等、体調を崩す原因にもなっている。
【０００５】
そこで、特許文献１に示されるように、使用者の身体の部分に応じて掛布団の通気性を選択的に向上させた夏用の掛布団が開発されている。すなわち、特許文献１に記載された掛布団は、袋状に形成された側地の空間部内に羽毛などの布団綿を充填されてなり、かつ使用者の腹部に相当する部位に設けられた布団体と、使用者の脚部または胸部に相当する部位に設けられたメッシュ地とが互いに連結されてなる構成となっている。
【０００６】
また、特許文献２に示されるように、測地を矩形袋状に縫製しその空間部内に羽毛が充填された布団本体と、布団本体の幅方向両側部分に、空間部内と隔別されて、布団本体の長手方向に沿って形成され、厚さ方向に通気性を備えた一対の通気部を具備する布団も開発されている。
【先行技術文献】
【特許文献】
【０００７】
【特許文献１】実開平５−９３６８号公報
【特許文献２】特開２０１０−３５７００号公報
【発明の概要】
【発明が解決しようとする課題】
【０００８】
特許文献１、２に記載されているように、布団にメッシュ地や通気部を設ければ通気性改善の効果は得られるものの、布団の大部分を占める、羽毛が塊として充填されている層の通気性まで改善されることはなく、通気性の改善効果は、布団全体から見れば局所的にとどまる。このため、特許文献１、２の布団は、晩春、早秋に用いることはできても、夏場に使用するには、更に一層の通気性の改善が必要であった。
【０００９】
そこで本発明の目的は、羽毛を始めとする保温性の高い保温材を使用しつつも、更に一層、通気性が改善され、夏場にも使用できる寝具およびその材料を提供することにある。
【００１０】
また一方で、羽毛等はダウンジャケット等被服の保温材としても用いられるが、その保温性の高さゆえ体温によって温められた熱が逃げにくく、冬場の厳寒時にもダウンジャケット内部はむれて、汗をかくほど暑く、利用者が体温調整をすることが非常に難しいとの問題もあった。その結果利用者が風邪をひく等の、体調を崩す原因にもなっていた。本発明の別の目的は、羽毛を始めとする保温性の高い保温材を使用しつつも、通気性が改善されたことで、むれることがなく、利用者が容易に体温調整をすることができ、フィット感に優れるダウンジャケットやレッグウォーマー等の被服およびその材料を提供することにある。
【課題を解決するための手段】
【００１１】
本発明者らは鋭意検討した結果、寝具および被服の材料としての構造体を特定構造とすることにより、上記課題を解決できることを見出して、本発明を完成するに至った。
すなわち、本発明の保温材充填用袋体を有する構造体は、布地に、複数の柱状袋体が並置されており、前記柱状袋体内に保温材が封入されていることを特徴とするものである。
【００１２】
また、本発明の寝具は、本発明の保温材充填用袋体を有する構造体を使用することを特徴とするものである。
【００１３】
さらに、本発明の被服は、本発明の保温材充填用袋体を有する構造体を材料とすることを特徴とするものである。
【発明の効果】
【００１４】
本発明によれば、保温性の高い羽毛等を保温材として使用しつつ、更に一層、通気性が改善された構造体を得ることができる。この構造体を使用した寝具は夏場にもむれを防止でき、利用者が快適な睡眠を得ることができる。更に、羽毛の充填量も従来の夏用布団に比べて大幅に増加させることができるため、気温が下がる明け方にも体温を奪われることがなく、体調を崩す原因を絶つこともできる。また、この構造体を用いることで、被服の従来の課題も解決することができる。この構造体を材料とすることで、保温性の高いうえ、むれることがなく、利用者が容易に体温調整をすることができ、フィット感に優れる被服を得ることができる。
【図面の簡単な説明】
【００１５】
【図１】本発明の一実施形態に係る構造体の斜視図である。
【図２】布地とは別に作製された柱状袋体が該布地上に縫合された構造体の斜視図である。
【図３】布地の一部が縫合されることにより柱状袋体が形成されている本発明の他の実施形態の構造体の斜視図である。
【図４】一部が縫合されることで丸型の断面を有する柱状袋体が形成される布地の平面図である。
【図５】丸型の断面を有する柱状袋体が形成された構造体の斜視図である。
【図６】一部が縫合されることでハート型の断面を有する柱状袋体が形成される布地の平面図である。
【図７】ハート型の断面を有する柱状袋体が形成された構造体の斜視図である。
【図８】一部が縫合されることでＳ型の断面を有する柱状袋体が形成される布地の平面図である。
【図９】Ｓ型の断面を有する柱状袋体が形成された構造体の斜視図である。
【図１０】構造体をそのまま使用した、一層の柱状袋体が露出した掛布団の一部切欠きの斜視図である。
【図１１】構造体をそのまま使用した、一層の柱状袋体が露出した掛布団の斜視図である。
【図１２】一層の柱状袋体が内側に収納されるように周辺が縫結されてなる掛布団の内部を表した一部切欠きの斜視図である。
【図１３】柱状袋体が対向するように重ねられた、一対の構造体の周辺が縫結されてなる掛布団の内部を表した一部切欠きの斜視図である。
【図１４】柱状袋体が対向するように重ねられた、一対の構造体の周辺が縫結されてなる掛布団の側面断面図例である。
【図１５】柱状袋体が対向するように重ねられた、一対の構造体の周辺が縫結されてなる掛布団の側面断面図例である。
【図１６】柱状袋体が対向するように重ねられた、一対の構造体の周辺が縫結されたうえ、さらにその中央に別の構造体が収納されてなる掛布団の側面断面図例である。
【図１７】構造体を材料としたレッグウォーマーの内部を表した斜視図である。
【発明を実施するための形態】
【００１６】
以下、本発明の具体的実施形態について詳細に説明する。
図１に本発明の一実施の形態に係る構造体の斜視図を示す。本発明の構造体１は、布地２に、複数の柱状袋体３が並置されており、その柱状袋体内に保温材が封入されている。
【００１７】
構造体１に使用する布地２は、通常の寝具等に使用される任意のものを使用しても構わないが、保温材に羽毛を使用する場合には、微細な羽毛が飛び出すのを防止するといった観点から、極細の繊維を高密度に織った、いわゆるダウンプルーフ加工された布地が用いられることが好ましい。
【００１８】
布地上に並置される柱状袋体３には、保温性の高い保温材が充填される。保温性の高さから保温材は羽毛が好ましいが、必ずしも羽毛である必要はない。羽毛以外の保温材としては、ウール、絹短繊維、ウレタン、羽根、綿、発泡スチロールビーズ、プラスチックビーズ、更にはナイロン、ポリエステル等の化学繊維等が挙げられる。
【００１９】
前記保温材が柱状袋体内に収納された状態を維持するため、柱状袋体の両端部は封じられ、保温材は封入される。両端部を封じる方法としては、後述するように端部を布地に縫合する方法があるが、これ以外の任意の方法を採用してもよい。布地の、柱状袋体の両端部外側には、布団に代表される寝具やダウンジャケットに代表される被服を作製する際の縫い代として必要な寸法が確保される。
【００２０】
柱状袋体の幅や、並置される間隔は、使用される用途によって、また、使用される季節によって任意な寸法をとることができる。また、後述するように、一枚の布地上の柱状袋体の断面の形状は統一されている必要はなく、例えば右半分は断面が丸型の柱状袋体を並置し、左半分は断面がハート型の柱状袋体を並置することができる。
【００２１】
図２に示す通り、柱状袋体３は布地とは別に作製されたものを用い、これを布地２上に縫合してもよい。この場合の柱状袋体３に使用する材質は、通常の寝具等に使用される任意のものを使用しても構わないが、保温材に羽毛を使用する場合には、微細な羽毛が飛び出すのを防止するといった観点から、極細の繊維を高密度に織った、いわゆるダウンプルーフ加工された布地が用いられることが好ましい。
【００２２】
この場合、柱状袋体３は、保温材を封入後両端部を封じ、保温材を封入した状態で布地上に縫合しても、また、両端部が解放された状態で布地上に縫合後、保温材を充填したうえで、たとえば、後述する端部を布地に縫合する方法等で両端部を封じてもよい。
【００２３】
また、柱状袋体３は、図３に示す通り、布地２の一部を折り曲げ、縫合することにより形成してもよい。図中番号で示した通りの順番に、（１）左右から布地を折り曲げる、（２）縫合して両端が解放された柱状体を作製する、（３）保温材を充填する、（４）両端部を縫合し、保温材を封入する、のステップを踏むことで柱状袋体を形成することができる。
【００２４】
柱状袋体の断面の形状としては、以下に示す通り、様々な形をとることができ、使用される用途によって、また使用される季節によって最善のものが選択される。また、一構造体中に並置する柱状袋体をいくつかの断面形状を持つ柱状袋体の混成にしてもよい。
【００２５】
柱状袋体の断面として、例えば丸型が考えられる。図４に、一部が縫合されることで丸型の断面を有する柱状袋体が形成される布地の平面図を、図５に、丸型の断面を有する柱状袋体が形成された構造体の斜視図を示す。丸型の断面を有する柱状袋体は、長方形状の布地１０の一辺上の２点から伸びる、該一辺と交わる他辺と平行な２本一組の折目線１１ａ、１１ｂに沿って谷折りし、折目線１１ａ、１１ｂの、布地１０の柱状袋体の反対面側同士を縫合することによって形成される。
【００２６】
柱状袋体の断面として、例えばハート型が考えられる。図６に、一部が縫合されることでハート型の断面を有する柱状袋体が形成される布地の平面図を、図７に、ハート型の断面を有する柱状袋体が形成された構造体の斜視図を示す。ハート型の断面を有する柱状袋体は、長方形状の布地２０の一辺上の３点から伸びる、該一辺と交わる他辺と平行で略等間隔な３本一組の折目線２１ａ、２１ｂ、２１ｃに沿って谷折りし、折目線２１ａ、２１ｂ、２１ｃの、布地２０の柱状袋体の反対面側同士を縫合することによって形成される。ハート形の柱状袋体は、通常は二つの丸型柱状袋体が布地２０上に並ぶ単層構造になっているが、横方向から力が加わるとこの二つの丸型柱状袋体が厚さ方向に並ぶ二層構造になることで保温性が調整されるとの特長を有する。
【００２７】
柱状袋体の断面として、例えばＳ字型が考えられる。図８に、一部が縫合されることでＳ型の断面を有する柱状袋体が形成される布地の平面図を、図９に、Ｓ型の断面を有する柱状袋体が形成された構造体の斜視図を示す。Ｓ字型の断面を有する柱状袋体は、長方形状の布地３０の一辺上の３点から伸びる、該一辺と交わる他辺と平行な３本一組の折目線３１ａ、３１ｃ、および縫合線３１ｂのうち、両端の折目線３１ａ，３１ｃに沿って谷折りし、中央の縫合線３１ｂに沿って、布地３０の各反対の面に縫合することによって形成される。また、Ｓ字形の柱状袋体は、前記丸型、ハート形等の、布地の片面のみに柱状袋体が並置された構造体２つの、その布地（１０、２０）の柱状袋体の並置されている反対側の面同士を重ねて縫製することによっても作製することができる。Ｓ字形の柱状袋体は、通常は二つの丸型柱状袋体が布地３０を挟んで厚さ方向に並ぶ二層構造になっているが、縦方向から力が加わるとこの二つの丸型柱状袋体が布地３０を挟んで、あたかも単層構造のように並ぶことで保温性が調整されるとの特長を有する。
【００２８】
本発明の構造体の、寝具への応用を図１０〜１３を用いて説明する。図１０〜１３に示す通り、構造体の寝具への応用には、構造体をそのまま使用した、一層の柱状袋体が露出した掛布団（図１０、１１）や、構造体の柱状袋体が内側に収納される掛布団（図１２、１３）といった態様が考えられる。これらの態様を始め、使用される用途によって、また使用される季節によって最善のものが選択されるが、いずれの場合にも夏場にもむれを防止でき、利用者が快適な睡眠を得ることができる。更に、羽毛の充填量も従来の夏用布団に比べて大幅に増加させることができるため、気温が下がる明け方にも体温を奪われることがなく、体調を崩す原因を絶つこともできる。
【００２９】
本発明の構造体はそのまま掛布団として用いることができる。図１０および１１に、構造体をそのまま使用した、一層の柱状袋体が露出した掛布団４１、４２を示す。この場合、布団の大きさの構造体１つを作製し、それをそのまま用いてもいいし、布団を縦横いくつかに分割した大きさの構造体を作製しそれを縫製して布団を作製してもよいが、羽毛布団は布団の使用中に羽毛が動く可能性があるため、羽毛の偏りを防止するという観点から、柱状袋体を短くし、横幅の短い構造体を横方向に３〜５個並べて縫製することが好ましい。
【００３０】
この布団は通気性改善効果が非常に大きく、夏場向け寝具として非常に有用である。使用にあたっては、図１０に示すとおり、柱状袋体が布地の下面で体に接するような態様で使用しても、図１１に示すとおり、柱状袋体が布地の上面で体に直接接しないような態様で使用しても構わない。
【００３１】
一方で、本発明の構造体を、その柱状袋体が内側に収納されるような態様で掛布団として用いることもできる。図１２に一層の柱状袋体が内側に収納されるように周辺が縫結されてなる掛布団５１を、図１３に柱状袋体が対向するように重ねられた、一対の構造体の周辺が縫結されてなる掛布団５２を示す。
【００３２】
この場合も布団と同じ大きさの構造体を材料としても、布団を縦横いくつかに分割した大きさの構造体を材料にしてもよいが、羽毛布団は使用中に羽毛が動く可能性があるため、羽毛の偏りを防止するという観点から、やはり柱状袋体を短くし、横幅の短い構造体を横方向に３〜５個並べて縫製することが好ましい。
【００３３】
一対の構造体が、その柱状袋体が対向するように重ねられてなる掛布団の場合、組み合わされる各構造体の柱状袋体の断面形状の組み合わせはどのようなものでもよく、使用される用途によって、また、使用される季節によって最適なものが選択される。図１４〜１６に、掛布団の側面断面図例を示す。図１４に示す通り、布団上面６１側、布団下面６２側双方の断面が丸型でも、また、図１５に示す通り、布団上面７１側の断面が丸型、布団下面７２側の断面がハート型でも、図１６に示す通り、布団上面８１側の断面を丸型、布団下面８２側の断面をハート型とし、その中央に断面がＳ字型の柱状袋体が並置された構造体８３を収納していてもよい。
【００３４】
尚、構造体を縦方向にいくつか並べたうえで、縫製部が両端部上に形成されるのを避けるために、縦端部に位置する構造体を折り曲げることで端部を形成したような場合は、例えば図１５の断面をもつ布団の材料の構造体では、布地上の右半分には断面が丸型の柱状袋体が並置され、左半分には断面がハート型の柱状袋体が並置されと、一構造体中に並置される柱状袋体の断面形状がいくつかの形状の混成になることとなる。
【００３５】
本発明の構造体を使用した寝具の例として、布団のほか、寝袋等が考えられる。
【００３６】
また更に、本発明の構造体は、羽毛を始めとする保温性の高い保温材を使用しつつも通気性が非常によく、ダウンジャケット、レッグウォーマー等への被服に応用した場合、冬場の厳寒時にもダウンジャケット内部はむれて、汗をかくほど暑く、利用者が体温調整をすることが非常に難しいといった課題を解決することができる。このため、保温性が高く、フィット感に優れるという羽毛等の特長をより活かしたダウンジャケット、レッグウォーマー等を作製することができる。
【００３７】
図１７に本発明の構造体を材料としたレッグウォーマーの斜視図を示す。この例ではレッグウォーマー外面９１内側にも、レッグウォーマー内面９２外側にも断面形状丸型の柱状袋体が並置され、これらの柱状袋体がレッグウォーマー内部に収納されているが、これは、柱状袋体が内側になるようにして円筒状に縫合した外面９１用の構造体の内側に、柱状袋体が外側になるようにして円筒状に縫合した内面９２用の構造体を挿入することによっても、または、柱状袋体が対向するように重ねられた、一対の構造体の周辺が縫結されてなる構造体を材料としてそれらを縫合することによっても作製することができる。図にはレッグウォーマーの例を示したが、被服も寝具同様、使用される用途によって、また使用される季節によって様々な態様をとることができる。たとえば、一層の柱状袋体がレッグウォーマー外面９１外側で露出したレッグウォーマーでは、露出された柱状袋体をファッションとして活用することもできる。
【符号の説明】
【００３８】
１  構造体
２、１０、２０、３０  布地
３  柱状袋体
１１ａ、１１ｂ、２１ａ、２１ｂ、２１ｃ、３１ａ、３１ｃ  折目線
３１ｂ  縫合線
４１、４２、５１、５２  布団
６１、７１、８１  布団上面
６２、７２、８２  布団下面
８３  布団内部に収納された構造体
９１  レッグウォーマー外面
９２  レッグウォーマー内面
【図１】
2017143984.tif 000003
【図２】
2017143984.tif 000004
【図３】
2017143984.tif 000005
【図４】
2017143984.tif 000006
【図５】
2017143984.tif 000007
【図６】
2017143984.tif 000008
【図７】
2017143984.tif 000009
【図８】
2017143984.tif 000010
【図９】
2017143984.tif 000011
【図１０】
2017143984.tif 000012
【図１１】
2017143984.tif 000013
【図１２】
2017143984.tif 000014
【図１３】
2017143984.tif 000015
【図１４】
2017143984.tif 000016
【図１５】
2017143984.tif 000017
【図１６】
2017143984.tif 000018
【図１７】
2017143984.tif 000019